(57)【要約】  回路を保護できる可能性を一層向上させた回路保護デバイスを提供する。  バイメタルスイッチ（４）およびＰＴＣ素子（２）を有して成る回路保護デバイス（１）において、  バイメタルスイッチとＰＴＣ素子とは、電気的に並列に接続され、  ＰＴＣ素子は、回路保護デバイスを組み込むべき電気回路の定格電圧および定格電流に基づいて式（１）：        定格電圧／定格電流＝固有抵抗値          （１）によって算出される回路の固有抵抗値の１．１倍以下の動作後抵抗値を有する。
2008114650.tif 000002
【特許請求の範囲】
【請求項１】
バイメタルスイッチおよびＰＴＣ素子を有して成る回路保護デバイスであって、
バイメタルスイッチとＰＴＣ素子とは、電気的に並列に接続され、
ＰＴＣ素子は、回路保護デバイスを組み込むべき電気回路の定格電圧および定格電流に基づいて式（１）：
定格電圧／定格電流＝固有抵抗値              （１）
によって算出される回路の固有抵抗値の１．１倍以下の動作後抵抗値を有することを特徴とする回路保護デバイス。
【請求項２】
ＰＴＣ素子は、固有抵抗値の０．９倍以下の動作後抵抗値を有することを特徴とする請求項１に記載の回路保護デバイス。
【請求項３】
ＰＴＣ素子は、固有抵抗値の０．４倍以下の動作後抵抗値を有することを特徴とする請求項２に回路保護デバイス。
【請求項４】
ＰＴＣ素子は、固有抵抗値の３分の２以下の基準抵抗値を有することを特徴とする請求項１〜３のいずれかに記載の回路保護デバイス。
【請求項５】
ＰＴＣ素子は、バイメタルスイッチの抵抗値の少なくとも１０倍の基準抵抗値を有することを特徴とする請求項１〜４のいずれかに記載の回路保護デバイス。
【請求項６】
ＰＴＣ素子は、バイメタルスイッチの抵抗値の少なくとも１００倍の抵抗値を有することを特徴とする請求項５のいずれかに記載の回路保護デバイス。
【請求項７】
ＰＴＣ素子は、ポリマーＰＴＣ素子である請求項１〜６のいずれかに記載の回路保護デバイス。
【請求項８】
請求項１〜７のいずれかに記載の回路保護デバイスを有して成る電気回路。
【発明の詳細な説明】
【技術分野】
【０００１】
本発明は、回路保護デバイス（または回路保護素子）、詳しくは、バイメタルスイッチおよびＰＴＣ素子を有して成る回路保護デバイスならびにそのような保護デバイスを有する電気回路（または電気装置）に関する。そのような回路保護デバイスは、例えば、電気自動車、コードレスクリーナー、電動工具、無線基地局等において用いられる種々の高電圧もしくは高電流のバッテリーを使用する電気回路において保護素子として使用することができる。
【背景技術】
【０００２】
種々の電気回路において、定格電圧より大きい電圧が印加された場合および／または定格電流より大きい電流が流れた場合、回路に組み込まれた電気・電子装置および／または電気・電子部品を保護するために回路保護デバイスが回路に組み込まれている。【０００３】
そのような回路保護デバイスとして、バイメタルスイッチとＰＴＣ素子とを並列に接続して用いることが提案されている（下記特許文献参照）。そのような回路保護デバイスでは、通常の運転条件では、即ち、定格電圧以下の電圧および定格電流以下の電流の条件下では、回路を流れる電流は、その実質的に全てがバイメタルスイッチの接触状態にある接点間を流れ、例えば過電流条件となった時に、バイメタルスイッチのバイメタル部分が高温となってその接点が離間して開き、電流がＰＴＣ素子に分流する。その結果、ＰＴＣ素子は過電流によって高温・高抵抗状態にトリップしてＰＴＣ素子を流れる電流を実質的に遮断する。この時、ＰＴＣ素子の高温がバイメタル部分を高温に維持し、それによってバイメタルスイッチが開いた状態を維持する、即ち、バイメタルスイッチのラッチ状態を維持する。このような回路保護デバイスでは、電流を切り替える必要がないので、バイメタルスイッチの接点でアークが生じないと言われている。
【特許文献１】特表平１１−５１２５９８号公報
【発明の開示】
【発明が解決しようとする課題】
【０００４】
発明者は、上述の回路保護デバイスについて検討を重ねた結果、単にＰＴＣ素子をバイメタルスイッチに対して並列に接続した回路保護デバイスでは、バイメタルスイッチの接点でアークが発生して、最悪の場合では、接点が溶着することがあることに気付いた。このような溶着が発生すると、回路保護デバイスとして機能せず、回路に組み込まれた電気・電子装置および／または電気・電子部品を保護することができない。従って、本発明が解決しようとする課題は、回路を保護できる可能性を一層向上させた、上述の回路保護デバイスを提供することである。
【課題を解決するための手段】
【０００５】
本発明は、バイメタルスイッチおよびＰＴＣ素子を有して成る回路保護デバイスであって、
バイメタルスイッチとＰＴＣ素子とは、電気的に並列に接続され、
ＰＴＣ素子は、回路保護デバイスを組み込むべき電気回路の定格電圧および定格電流に基づいて式（１）：
定格電圧／定格電流＝固有抵抗値          （１）
によって算出される回路の固有抵抗値の１．１倍以下の動作後抵抗値を有することを特徴とする回路保護デバイスを提供する。
【発明の効果】
【０００６】
本発明の回路保護デバイスを電気回路に組み込む場合、バイメタルスイッチの接点間に溶着部が形成されるのを一層抑制できる。その結果、回路保護デバイスによる回路保護機能が更に向上する。従って、本発明の回路保護デバイスを組み込んだ電気回路をも、本発明は提供する。
【図面の簡単な説明】
【０００７】
【図１】図１は、所定の電気装置（または部品）ＢおよびバイメタルスイッチＣが組み込まれている所定の電気回路Ａを示す。
【図２】図２は、本発明の回路保護デバイスを組み込んだ電気回路を示す。
【図３】図３は、本発明の回路保護デバイスのより具体的な形態の例を模式的側面図で示す。
【図４】図４は、本発明の回路保護デバイスのより具体的な形態の例を模式的側面図で示す。
【図５】図５は、実施例１にて測定した電流および電圧の波形を示す。
【図６】図６は、実施例２にて測定した電流および電圧の波形を示す。
【図７】図７は、実施例３にて測定した電流および電圧の波形を示す。
【符号の説明】
【０００８】
１…回路保護デバイス、２…ＰＴＣ素子、３…回路、４…バイメタルスイッチ、
６…電気要素、１０，１０’…リード、１２…ＰＴＣ素子、
１６…バイメタルスイッチ、１８，１８’…接点、２０…端子部分、
２２…電極層、２３…ＰＴＣ要素、２４…電極層、２６，２６’…絶縁層、
３０…空間。
【発明を実施するための形態】
【０００９】
バイメタルスイッチの接点間で溶着が生じることについて検討した結果、次のような考え方が可能であるとの結論に到った。但し、上述および後述の本発明は、発明者が実験的に確認した事実に基づくものである。従って、この考え方は、本発明を説明できる考え方の１つであり、この考え方の適否は、本発明の概念を不当に制限するものではない。
【００１０】
バイメタルスイッチの接点が開く動作は、マクロ的には瞬間的な動作であるが、ミクロ的に見ると接点が離間する微小時間において徐々に離間する動作であると考えることができ、その微小時間の最初においては接点間で定格電流が流れ、その微小時間の最後においては接点間で電流が遮断されている。換言すれば、その微小時間の最初においては接点間の抵抗値が実質的にゼロの状態であり、その微小時間の最後においては接点間の抵抗値が無限大に増加している。従って、この微小時間内において、電流が流れ、抵抗値が大きく増加するので、接点間において電力が消費されることになる。
【００１１】
他方、バイメタルスイッチの接点が溶着する現象は、過剰電圧および／または過剰電流が作用する結果として接点の温度が上昇することによって生じると考えることが可能である。従って、接点間で消費されるエネルギーが大量になると、溶着が生じる危険が増加することになる。
【００１２】
そこで、発明者は、エネルギーの尺度として電力があることに鑑み、接点間における溶着の発生の有無は、上述の微小時間において接点間で消費される電力、特にその最大値を尺度として判断できるであろうとの考えに到った。この接点間での消費電力およびその最大値は、図１の回路を参照して、以下に説明するように算出される。
【００１３】
図１において所定の回路Ａを考える。通常、そのような回路には、意図する機能を発現するために、所定の電気装置（または部品）Ｂが組み込まれており、それは所定の抵抗値Ｒｆを有する。また、回路に異常電圧が印加されるおよび／または異常電流が流れる場合に、回路を開くことができるように、バイメタルスイッチＣが組み込まれている。そして、そのような回路には所定の電圧Ｅが印加されるようになっている。
【００１４】
このように所定の回路は、電気装置Ｂに所定の電圧が印加され、また、所定の電流が流れるように構成されている。そのような電圧および電流は、それぞれ定格電圧Ｖｒおよび定格電流Ｉｒと呼ばれている。この定格電圧および定格電流は、回路に電圧Ｖｒを印加すると、電流Ｉｒが流れ、従って、その回路は、Ｖｒ／Ｉｒの抵抗値を有することを意味する。
【００１５】
従って、Ｖｒ／Ｉｒ＝Ｒｆである場合、定格電圧および定格電流がそれぞれＶｒおよびＩｒであると呼ばれる回路は、図１において、Ｅ＝Ｖｒであり、抵抗値（Ｒｆ）としてＶｒ／Ｉｆの抵抗値を有する電気装置が組み込まれている回路に相当する。即ち、図１に示す回路Ａは、定格電圧および定格電流がそれぞれＶｒおよびＩｒである回路（但し、Ｅ＝Ｖｒ、Ｉ＝Ｉｒ）と等価であり、このような回路の固有抵抗値は、Ｖｒ／Ｉｒである。
【００１６】
図１の回路において、回路には電圧Ｅが印加され、電気装置は抵抗値Ｒｆを有し、バイメタルスイッチは接点間抵抗としてＲｂを有するものとする。また、電気装置に印加される電圧をＶｆとし、バイメタルスイッチの接点間の電圧をＶｂとする。
【００１７】
この場合、回路Ａを流れる電流をＩとし、回路全体を考慮すると、
Ｉ＝Ｅ／（Ｒｆ＋Ｒｂ）
となる。
【００１８】
バイメタルスイッチの接点間において消費される電力をＰとすると、
Ｐ＝Ｉ×Ｖｂとなる。
【００１９】
ここで、Ｖｂ＝Ｅ−Ｖｆであるので、
Ｐ＝Ｉ×（Ｅ−Ｖｆ）
となる。
【００２０】
尚、Ｖｆ＝Ｉ×Ｒｆであるので、
Ｐ＝Ｉ×（Ｅ−Ｉ×Ｒｆ）＝ＩＥ−Ｉ２×Ｒｆ
となる。
【００２１】
Ｉの関数として表された消費電力ＰをＩで微分すると、
Ｐ’＝Ｅ−２Ｉ×Ｒｆ
となる。
【００２２】
消費電力が最大になる時、Ｐ’が０となるので、
Ｐ’＝Ｅ−２Ｉ×Ｒｆ＝０
となり、この時の電流値ＩをＩｍａｘとすると、
Ｉｍａｘ＝Ｅ／（２Ｒｆ）＝（１／２）×（Ｅ／Ｒｆ）
となる。
【００２３】
この時のＶｂをＶｍａｘとすると、
Ｖｍａｘ＝Ｅ−Ｖｆ＝Ｅ−Ｉｍａｘ×Ｒｆ
＝Ｅ−［Ｅ／（２Ｒｆ）］×Ｒｆ＝Ｅ／２
となる。
【００２４】
ここで、Ｅ／Ｒｆは、Ｒｂがゼロの時に回路を流れる電流値に等しい。Ｒｂがゼロになることは有り得ないが、Ｒｆとの比較においてＲｂを実質的に無視できる場合、即ち、バイメタルスイッチの接点が十分に接触して閉じた状態にある場合は、Ｒｆ>>Ｒｂとなるので、Ｒｂが実質的にゼロであると仮定しても差し支えない。このような状態は、回路Ａに電圧Ｅとして定格電圧Ｖｒが印加され、定格電流Ｉｒが流れている状態であると考えることができる。
【００２５】
従って、バイメタルスイッチの接点間の消費電力が最大になる時、
Ｉｍａｘ＝Ｅ／（２Ｒｆ）＝（１／２）×（Ｖｒ／Ｒｆ）＝（１／２）×Ｉｒ
Ｖｍａｘ＝Ｅ／２＝（１／２）×Ｖｒ
【００２６】
従って、接点間の消費電力が最大になる時は、接点間を流れる電流は、定格電流の半分、即ち、Ｉｒ／２の電流値となり、また、接点間に印加される電圧は、定格電圧の半分、即ち、Ｖｒ／２の電圧値となる。
【００２７】
要するに、回路保護デバイスとして所定の回路に直列に組み込まれたバイメタルスイッチの接点間の消費電力が最大になる時の電圧および電流は、その回路の定格電圧および定格電流のそれぞれ半分の値となる。従って、この時の接点間の抵抗値は（Ｖｒ／２）÷（Ｉｒ／２）＝Ｖｒ／Ｉｒ＝定格電圧／定格電流となる。換言すれば、この抵抗値は、回路の固有抵抗値である。
【００２８】
この抵抗値付近では、接点間の消費電力が最大となり、その結果、接点間でアークが発生して接点が溶着する可能性が高まると推定されるため、この抵抗値（＝Ｖｒ／Ｉｒ）を「アーク抵抗値」とも仮に呼ぶ。但し、本明細書において用いる用語「アーク抵抗値」は単に便宜的に用いるものであって、接点間におけるアークの発生と何等かの相関関係があるであろうと推定されるが、接点間でアークが発生する場合に、接点間の抵抗値がこのアーク抵抗値になっているであろうと必ずしも推定できるものではない点に留意すべきである。
【００２９】
発明者は、更に検討を重ね、バイメタルスイッチに対して電気的に並列に接続するＰＴＣ素子の抵抗値がアーク抵抗値以下である場合、バイメタルスイッチの接点間で溶着が生じる可能性が低減されることを実験的に見出した。尚、ここで言及する「ＰＴＣ素子の抵抗値」とは、ＰＴＣ素子がバイメタルスイッチと並列に接続された後のＰＴＣ素子の（電気）抵抗値である。そのような「ＰＴＣ素子の抵抗値」は、市販のＰＴＣ素子をバイメタルスイッチと接続するためにハンダを用いる場合、ハンダ接続による熱のために接続後のＰＴＣ素子は既に１回トリップした後（即ち、熱的にトリップした後）の状態にあり、そのような状態にあるＰＴＣ素子の抵抗値を本明細書では「ＰＴＣ素子の抵抗値」と呼び、この抵抗値は、当該技術分野では「動作後抵抗値」とも呼ばれる。尚、ＰＴＣ素子をバイメタルスイッチと接続するために電気溶接を用いる場合、ＰＴＣ素子にはトリップするほどの熱が伝わらない場合が有り得る。そのような場合には、ＰＴＣ素子に過電流が初めて流れてＰＴＣ素子が最初にトリップし（即ち、電気的にトリップし）、その後の抵抗値が上述の「動作後抵抗値」に相当する。従って、本発明において、「動作後抵抗値」は、市販のＰＴＣ素子が熱的または電気的に初めてトリップした後の抵抗値を意味する。ハンダ接続前のＰＴＣ素子（即ち、市販のＰＴＣ素子そのもの）は、そのような抵抗値よりも小さい抵抗値を有する（この小さい抵抗値は、当該分野では「基準抵抗値」とも呼ばれる）。
【００３０】
先に説明したように、バイメタルスイッチとＰＴＣ素子が並列に接続された回路保護デバイスを所定の回路に組み込む場合、バイメタルスイッチが開くときに、バイメタルスイッチを経て流れていた電流をＰＴＣ素子に分流させることができる。例えば、ＰＴＣ素子の抵抗値が回路の固有抵抗値（またはアーク抵抗値）の１．１倍以下である場合、好ましくは１．０倍以下である場合、より好ましくは０．９倍以下である場合、最も好ましくは０．４倍以下である場合、特に０．３倍以下である場合、より特に０．２倍以下、例えば０．１５倍以下である場合、接点間における消費電力が最大となる時に、ＰＴＣ素子が存在しない場合に接点間を流れるであろう電流の半分をＰＴＣ素子の方に分流できる。その結果、接点間でアークが発生する可能性は低減する。最も好ましい態様では、ＰＴＣ素子の抵抗値が回路の固有抵抗値（またはアーク抵抗値）の０．２倍以下、例えば０．１５倍以下である。尚、本発明の回路保護デバイスにおいて、ＰＴＣ素子の基準抵抗値は、固有抵抗値（またはアーク抵抗値）の５分の４以下であるのが好ましく、３分の２以下であるのがより好ましく、例えば２分の１以下である。
【００３１】
逆に、ＰＴＣ素子の抵抗値が、回路のアーク抵抗値より大きい場合、例えば２倍である場合には、ＰＴＣ素子を組み込んだにもかかわらず、アークが発生を十分に抑制することができず、溶着する場合がある。
【００３２】
本発明の回路保護デバイスに於いて、回路保護デバイスに用いるバイメタルスイッチは、バイメタルを用いたスイッチであり、周知のものを使用できる。バイメタルスイッチを流れる電流が所定の電流値を越えて過剰になる時に、生じる熱の作用によって、相互に接触している接点が離間するように構成されているスイッチである。
【００３３】
そのようなバイメタルスイッチの中でも、本発明の回路保護デバイスに用いるのが特に好ましいものは、例えば接点の材料として白金、金、銀、銅、カーボン、ニッケル、錫、鉛、およびこれらの金属の合金（例えば錫−鉛合金）を用いているものを挙げることができる。中でも、銀を接点の材料として用いたバイメタルスイッチが特に好ましい。尚、バイメタルスイッチの接点間の間隙が比較的狭いもの、好ましくは０．５〜４ｍｍのもの、特に２ｍｍ以下のもの、より好ましくは０．７〜２ｍｍのもの、特に好ましくは０．８〜１．５ｍｍのもの、例えば１ｍｍ程度のものに本発明の回路保護デバイスを好適に使用できる。
【００３４】
本発明の回路保護デバイスに於いて、バイメタルスイッチに対して並列に接続されるＰＴＣ素子は、回路保護デバイスとして自体用いられている常套のＰＴＣ素子であればよく、導電性要素がセラミックでできていても、あるいはポリマー材料でできていてもよい。特に好ましいＰＴＣ素子は、ポリマーＰＴＣ素子と呼ばれるものであり、ポリマー材料（例えばポリエチレン、ポリビニリデンフルオライド等）中に導電性フィラー（例えばカーボン、ニッケル、ニッケル−コバルトフィラー）が分散している導電性ポリマー要素を有して成るＰＴＣ素子を好適に使用できる。
【００３５】
本発明の回路保護デバイスを所定の回路に組み込んで意図した機能を正常に果たす場合、回路を流れる電流はその実質的に全部がバイメタルスイッチを通過する。従って、本発明の回路保護デバイスにおいて、ＰＴＣ素子の抵抗値は、バイメタルスイッチが本来有する電気抵抗値（通常は０．５〜２０ミリオーム）の少なくとも１０倍、好ましくは少なくとも５０倍、より好ましくは少なくとも１００倍、特に好ましくは少なくとも３００倍の抵抗値を有する。
【００３６】
図２に本発明の回路保護デバイス１を組み込んだ回路３を示す。回路３は、所定の電気要素（例えば電気／電子装置または部品等）６を有し、それに対して直列に回路保護デバイス１が接続されている。電気要素６は、１つの抵抗記号で示しているが、これは、１つの電気要素、または回路３に含まれる複数の電気要素の集合体を意味する。そのような電気要素の抵抗値はＲｆで示され、これは、回路３の固有抵抗値であり、具体的には回路３の定格電圧Ｖｒ／定格電流Ｉｒによって算出されるものである。尚、図２において、後述の実施例にて説明する測定のために、電流計Ａおよび電圧計Ｖを組み込んだ状態で示す。
【００３７】
本発明の回路保護デバイス１は、ＰＴＣ素子２およびバイメタルスイッチ４を有して成り、これらが電気的に並列に接続されているか、あるいは電気的に並列に接続されていない場合には、そのように接続できるように構成されている。そして、ＰＴＣ素子２の抵抗値は、回路３の固有抵抗値Ｒｆの例えば１倍以下、好ましくは半分以下、より好ましくは３分の１以下、例えば４分の１以下、特に８分の１以下である。そして、バイメタルスイッチ４の本来の抵抗値の例えば少なくとも１０倍、好ましくは少なくとも１００倍の抵抗値をＰＴＣ素子１２は有する。
【００３８】
本発明の回路保護デバイス１０のより具体的な形態の例を図３および図４にて模式的側面図で示す。
【００３９】
図３は、電気回路（電気回路のリード１０および１０’のみを図示）に組み込まれた、ＰＴＣ素子１２およびバイメタルスイッチ１６を有する本発明の回路保護デバイスにおいて、バイメタルスイッチが作動して接点が開く前および後の様子（それぞれ図３（ａ）および図３（ｂ））を示す。リード１０および１０’は、それぞれ端部に端子部分２０および２０’を有する。端子部分２０は、バイメタルスイッチの端子部分１７に接続されている。電気回路が正常に作動して適切な電流が流れている場合、即ち、バイメタルスイッチ１６を介して電流が流れている場合、図３（ａ）に示すように、端子部分２０’はバイメタルスイッチ１６の接点１８と接触した状態にある。この場合、実質的に全て（あるいは大部分）の電流は、リード１０からバイメタル１６を経てリード１０’へと流れる。
【００４０】
図示した態様において、ＰＴＣ素子１２は、ＰＴＣ要素２３およびその両側に配置した電極層２２および２４を有して成り、ＰＴＣ素子１２とリードとの間には絶縁層２６が存在する。ＰＴＣ要素およびその両側の電極層については、周知のＰＴＣ要素に採用されているものと同様であってよく、電極層は、その外側表面にリードを有してもよい。この場合、図示するＰＴＣ要素２３の代えて、ＰＣＴ要素がその両側に位置する電極層（好ましくは金属箔電極）と一体となってＰＴＣ素子を形成し、また、図示する電極層２２および２４の代えて、上述の外側表面に位置するリードを形成し、これらのリード１０および１０‘に接続される。このように、ＰＴＣ素子１２とバイメタルスイッチ１６とを電気回路に組み込むことによって、これらが電気的に並列の関係で接続された電気回路を構成する。尚、図示した態様では、バイメタルスイッチ１６とリード１０’との間に別の絶縁層２６’が配置されている。
【００４１】
電気回路に異常電流が流れてバイメタルスイッチ１６の温度が上昇すると、図３（ｂ）に示すように、接点１８とリードの端子部分２０’との接触状態が解除される。この時、電気回路を流れている電流は、瞬間的に、リード１０からＰＴＣ素子の電極層２２に流れ、その後、ＰＴＣ要素２３および電極層２４を経てリード１０’に分流する。この場合、ＰＴＣ素子の動作後抵抗値が回路の固有抵抗値の１．１倍以下であると、バイメタルスイッチが開いた瞬間に、異常電流の比較的大きい割合をＰＴＣ素子の方に分流できるので、バイメタルスイッチの接点付近でのアークの発生、溶着の発生等の可能性が大幅に軽減される。その後、ＰＴＣ素子はトリップ状態となり、電流の流れを実質的に遮断する。
【００４２】
尚、図３において、本発明の回路保護デバイスを包囲する破線は、回路保護デバイスを包囲する要素、例えばケーシング、ハウジング等を意味する。本発明の保護デバイスは、そのような要素を更に有するのが好ましく、異常電流によって生じたバイメタルスイッチおよびＰＴＣ素子からの熱の発散を防止し、バイメタルスイッチのラッチ状態を保持するのに有用である。また、図示した態様では、ＰＴＣ素子１２とバイメタルスイッチ１６とが比較的狭い空間３０を隔てた隣接状態にあるので、異常電流によってＰＴＣ素子がトリップした時の熱の影響をバイメタルスイッチに及ぼし易いのでバイメタルスイッチのラッチ状態を保持するのに有利である。
【００４３】
図４に、更に別の態様の本発明の回路保護デバイス（但し、バイメタルスイッチが作動する前の状態）を示す。この態様では、バイメタルスイッチ１６とＰＴＣ素子とが離間した状態にある。バイメタルスイッチ１６とＰＴＣ素子１２との間にリード１０’ならびに絶縁層２６および２６’が存在し、その結果、図３の態様と比較すると、ＰＴＣ素子１２とバイメタルスイッチ１６とがより離れているので、バイメタルスイッチが先に説明した熱の影響を受けにくいが、バイメタル素子とＰＴＣ素子を、単純に重ね合わせた構造であるため、生産性の点で有利である。
【実施例１】
【００４４】
下記の市販のＰＴＣ素子、バイメタルスイッチおよび電気要素（抵抗器、抵抗値Ｒｆ＝２．６７Ωを）用いて図２に示す回路保護デバイスを組み込んだ回路を構成した。
ＰＴＣ素子：タイコエレクトロニクスレイケム社製、商品名：ＲＸＥ０１０、基準抵抗値：２．６Ω、動作後抵抗値：４．２１Ω
バイメタルスイッチ：センサータ・テクノロジーズ社製、商品名：サーマルプロテクタ９７００Ｋ２１−２１５、接点間隔：１ｍｍ、バイメタルスイッチの抵抗値：１１．６ｍΩ【００４５】
バイメタルスイッチの最大接点定格の２倍のＤＣ４８Ｖ／１８Ａ（従って、固有抵抗値＝２．６７Ω＝Ｒｆ）を印加して、その時の電流（バイメタルスイッチを流れる電流値）および電圧（バイメタルスイッチの両端の電圧、即ち、バイメタルスイッチにおける降下電圧）の波形を、図２に示す回路に組み込んだ電流計Ａおよび電圧計Ｖによって測定した。測定した電流および電圧の波形を図５に示す（但し、振動する波形を平滑化して示す）。図５のグラフにおいて、縦軸は電圧または電流値であり、それぞれの一目盛り（両端矢印の長さ）当たり、５Ａおよび１０Ｖであり、横軸は、時間であり、一目盛りは４０ｍｓである。【００４６】
図５から、バイメタルスイッチの接点開放動作開始時（時刻＝０）から約１４６ｍｓ経過した後に、接点開放動作前の電流値・電圧値に戻っていたことが分かる。従って、本実施例では、回路保護デバイスはその機能を発揮しなかった。尚、バイメタルスイッチを調べたところ、接点にて溶着していた。
【実施例２】
【００４７】
使用した市販のＰＴＣ素子を下記の他のＰＴＣ素子に変更した以外は、実施例１を繰り返した。【００４８】
ＰＴＣ素子：タイコエレクトロニクスレイケム社製、商品名：ＲＸＥ０２５、基準抵抗値：１．５Ω、動作後抵抗値：２．３１Ω）
測定した電流および電圧の波形を図６に示す。図６のグラフにおいて、縦軸は電圧または電流値であり、それぞれの一目盛り（両端矢印の長さ）当たり、５Ａおよび１０Ｖであり、横軸は時間であり、一目盛りは１００μｓである。【００４９】
図６から、バイメタル素子に通電される電流が瞬時に低減され、言い換えればＰＴＣ素子に転流されていることが分かる。従って、本実施例では、回路保護デバイスはその機能を発揮した
【実施例３】
【００５０】
使用した市販のＰＴＣ素子を下記の他のＰＴＣ素子に変更した以外は、実施例１を繰り返した：
ＰＴＣ素子：タイコエレクトロニクスレイケム社製、商品名：ＲＸＥ０４０、基準抵抗値：０．６７Ω、動作後抵抗値：１．０２Ω）
測定した電流および電圧の波形を図７に示す。図７のグラフにおいて、縦軸は電圧または電流値であり、それぞれの一目盛り（両端矢印の長さ）当たり、５Ａおよび１０Ｖであり、横軸は時間であり、一目盛りは１００μｓである。【００５１】
図７から、バイメタル素子に通電される電流が瞬時に低減され、言い換えればＰＴＣ素子に転流されていることが分かる。従って、本実施例では、回路保護デバイスはその機能を発揮した。
【実施例４】
【００５２】
使用した市販のＰＴＣ素子を下記の他のＰＴＣ素子に変更し、定格電圧／電流を４８ＶＤＣ／２０Ａ（従って固有抵抗値を２．４Ω）とした以外は、実施例１を繰り返した：
ＰＴＣ素子：タイコエレクトロニクスレイケム社製、商品名：ＲＸＥ１３５、基準抵抗値：０．１８Ω、動作後抵抗値：０．３Ω）【００５３】
本実施例においても、実施例３と同様の電流および電圧の測定結果が得られた。従って、本実施例では、回路保護デバイスはその機能を発揮した。
【実施例５】
【００５４】
使用した市販のＰＴＣ素子を下記の他のＰＴＣ素子に変更した以外は、実施例１を繰り返した：
ＰＴＣ素子：タイコエレクトロニクスレイケム社製、商品名：ＲＸＥ０２０、基準抵抗値：１．８Ω、動作後抵抗値：２．８２Ω）【００５５】
本実施例においても、実施例３と同様の電流および電圧の測定結果が得られた。従って、本実施例では、回路保護デバイスはその機能を発揮した。【００５６】
上記実施例の結果を以下の表１にまとめる：【００５７】
【表１】
2008114650.tif 000003
【産業上の利用可能性】
【００５８】
本発明の回路保護デバイスは、バイメタルスイッチの接点付近におけるアークの発生および溶着の発生の可能性を低減できる。【００５９】
当業者に知られているように、バイメタルスイッチは、熱に基づいて接点が開くように作用するスイッチであり、感熱材料であるバイメタル素子と少なくとも１対の機械的接点とを有して成る。従って、当業者であれば、上述の記載に基づいて、本発明の回路保護デバイスにおいて、バイメタルスイッチに代えて、他の機械的接点開閉器、例えばリレー（特に電磁式リレー）を用いることができることが理解できよう。【００６０】
従って、最も広い概念において、本発明は、機械的接点開閉器（例えばリレー、バイメタルスイッチ等）およびＰＴＣ素子を有して成る回路保護デバイスをも提供し、このデバイスは、
機械的接点開閉器とＰＴＣ素子とは、電気的に並列に接続され、
ＰＴＣ素子は、回路保護デバイスを組み込むべき電気回路の定格電圧および定格電流に基づいて式（１）：
定格電圧／定格電流＝固有抵抗値              （１）
によって算出される回路の固有抵抗値の１．１倍以下の動作後抵抗値を有することを特徴とする。
【図１】
2008114650.tif 000004
【図２】
2008114650.tif 000005
【図３】
2008114650.tif 000006
【図４】
2008114650.tif 000007
【図５】
2008114650.tif 000008
【図６】
2008114650.tif 000009
【図７】
2008114650.tif 000010
【国際調査報告】
2008114650.tif 000011
2008114650.tif 000012
2008114650.tif 000013
2008114650.tif 000014